(57)【要約】【課題】  操作性を維持しつつ、復帰が困難または複雑な操作の指示が誤って入力されることを防止する。【解決手段】  制御部１０は、誤って押圧されて操作マークに対応した処理を実行してしまうと、処理を実行する前の状態に復帰するのが困難または復帰するために複雑な操作が必要である削除マーク５Ｃについて、操作者８が削除マーク５Ｃを押圧した後であって離間した時に操作指示入力があったと判断し、操作者８が削除マーク５Ｃを押圧した後、その押圧位置が表示部２の画面上において移動して削除マーク５Ｃから外れると削除マーク５Ｃに関する操作指示入力の判断をキャンセルし、次頁マーク５Ａまたは前頁マーク５Ｂについて、操作者８が次頁マーク５Ａまたは前頁マーク５Ｂを押圧した時に操作指示入力があったと判断する。【選択図】      図４
2010079615.tif 000002
【特許請求の範囲】
【請求項１】
複数の操作マークが表示されている表示部と、操作された部分の座標情報を出力する入力部と、前記表示部および前記入力部の駆動を制御する制御部とを有し、前記表示部の表示にしたがって操作者により前記操作マークを押圧すると、前記入力部は、押圧された部分の座標情報を検出して前記制御部に出力し、前記制御部は前記座標情報を入力すると、押圧された座標に配置された前記操作マークを判別して前記操作マークに対応した処理を実行するタッチパネル式入力装置において、
前記制御部は、前記各操作マークのうち誤って押圧されて前記操作マークに対応した処理を実行してしまうと、処理を実行する前の状態に復帰するのが困難または復帰するために複雑な操作が必要である特殊操作マークについて、前記操作者が前記特殊操作マークを押圧した後であって離間したことを前記入力部が検出すると操作指示の入力があったと判断し、前記操作者が前記特殊操作マークを押圧した後、その押圧位置が前記表示部の画面上を移動して前記特殊操作マークから外れたことを前記入力部が検出すると前記特殊操作マークに関する操作指示入力の判断をキャンセルし、前記各操作マークのうち前記特殊操作マークを除く一般操作マークについて、前記操作者が前記一般操作マークを押圧したことを前記入力部が検出すると操作指示入力があったと判断することを特徴とするタッチパネル式入力装置。
【請求項２】
所定のデータを削除する際に押圧操作される削除マークを、前記特殊操作マークとすることを特徴とする請求項２に記載のタッチパネル式入力装置。
【請求項３】
前記制御部は、前記操作者が前記各操作マークを押圧したことを前記入力部が検出すると、押圧された前記操作マークを報知することを特徴とする請求項１または請求項２に記載のタッチパネル式入力装置。
【発明の詳細な説明】
【技術分野】
【０００１】
本発明は、操作者が指やスタイラスペン等によって画面を押圧操作することにより、電気機器に対して操作に関する操作指示を出力するタッチパネル式入力装置に関する。
【背景技術】
【０００２】
従来より、電動ミシン等の電気機器に所望の処理を実行させるために操作に関する所定の操作指示を出力する入力手段として、タッチパネル式入力装置が用いられている（例えば、特許文献１参照）。
【０００３】
従来のタッチパネル式入力装置は、液晶表示パネル等からなる表示部を有しており、表示部の画面には、電動ミシン等の電気機器が実行する各操作を示す複数の操作マークが表示されるようになっている。表示部の後方には、一対の電極基板を備えた入力部が積層して配置されており、表示部および入力部の駆動を制御する制御部は、操作者の指等によって画面の操作マークが押圧されると、入力部における押圧された座標を検出して、その座標に配置された操作マークを判別し、この判別された操作マークに対応した処理を実行するようになっている。
【０００４】
このようなタッチパネル式入力装置においては、各操作マークの押圧の間違いを防止するため、一般に、各操作マークが大きく表示されている。
【０００５】
【特許文献１】特開平９−６２４４７号公報
【発明の開示】
【発明が解決しようとする課題】
【０００６】
しかし、前述のように各操作マークを大きく表示すると、タッチパネル式入力装置の小型化等により表示部の画面が小さい場合には、画面における各操作マークを表示する領域の割合が多くなってしまい、情報を表示する領域が小さくなってしまうこととなる。
【０００７】
また、小さい画面の中で各操作マークを大きく表示すると、各操作マークの間隙が狭くなってしまうこととなり、この結果、操作者の指によって所望の操作マークを押圧する際に、誤って隣位する操作マークも押圧してしまい、制御部が隣位する他の操作マークの操作指示が入力されたと判断してしまうおそれがあるという問題を有していた。特に、誤って操作指示が入力されてしまうと復帰が困難または複雑な操作の指示を入力する場合には、慎重に操作をしなければならず、操作性が悪くなってしまうという問題を有していた。
【０００８】
そこで、操作者がスタイラスペンを使用することを前提に、各操作マークを小さく表示することも行われているが、このような場合であっても、画面中に多くの操作マークを表示する場合には、各操作マークの間隙が狭くなってしまい、この結果、前述と同様に制御部が隣位する他の操作マークの操作指示が入力されたと判断してしまうという問題があった。
【０００９】
本発明はこれらの点に鑑みてなされたものであり、操作性を維持しつつ、復帰が困難または複雑な操作の指示が誤って入力されることを防止することが可能なタッチパネル式入力装置を提供することを目的とする。
【課題を解決するための手段】
【００１０】
前記目的を達成するため、請求項１に記載の発明に係るタッチパネル式入力装置の特徴は、複数の操作マークが表示されている表示部と、操作された部分の座標情報を出力する入力部と、前記表示部および前記入力部の駆動を制御する制御部とを有し、前記表示部の表示にしたがって操作者により前記操作マークを押圧すると、前記入力部は、押圧された部分の座標情報を検出して前記制御部に出力し、前記制御部は前記座標情報を入力すると、押圧された座標に配置された前記操作マークを判別して前記操作マークに対応した処理を実行するタッチパネル式入力装置において、前記制御部は、前記各操作マークのうち誤って押圧されて前記操作マークに対応した処理を実行してしまうと、処理を実行する前の状態に復帰するのが困難または復帰するために複雑な操作が必要である特殊操作マークについて、前記操作者が前記特殊操作マークを押圧した後であって離間したことを前記入力部が検出すると操作指示の入力があったと判断し、前記操作者が前記特殊操作マークを押圧した後、その押圧位置が前記表示部の画面上を移動して前記特殊操作マークから外れたことを前記入力部が検出すると前記特殊操作マークに関する操作指示入力の判断をキャンセルし、前記各操作マークのうち前記特殊操作マークを除く一般操作マークについて、前記操作者が前記一般操作マークを押圧したことを前記入力部が検出すると操作指示入力があったと判断する点にある。
【００１１】
この請求項１に記載の発明によれば、操作者により特殊操作マークを押圧した場合、操作者が特殊操作マークを押圧したとき即時に操作指示が入力されることはなく、特殊操作マークから離間したときに初めて操作指示が入力される。また、操作者が特殊操作マークを押圧後、操作者が表示部の画面を押圧した状態のまま他の操作マークの位置に移動して他の操作マークを押圧した場合には、特殊操作マークによる操作指示の入力の判断がキャンセルされる。このため、操作者が他の操作マークを押圧するつもりで意図せずに特殊操作マークを押圧してしまった場合等には、押圧した位置を表示部の画面上において移動することにより前記特殊操作マークによる操作の指示を入力することを防止することができる。
【００１２】
請求項２に記載の発明に係るタッチパネル式入力装置の特徴は、請求項１に記載のタッチパネル式入力装置において、所定のデータを削除する際に押圧操作される削除マークを、前記特殊操作マークとする点にある。
【００１３】
この請求項２に記載の発明によれば、復帰が困難な削除の操作について、操作者が削除マークから離間したときに操作指示を入力するので、意図せずに削除マークを押圧してしまった場合でも、押圧部分を表示部の画面上において移動することにより、誤って操作指示が入力されてしまうことを防止することができる。
【００１４】
請求項３に記載の発明に係るタッチパネル式入力装置の特徴は、請求項１または請求項２に記載のタッチパネル式入力装置において、前記制御部は、前記操作者が前記各操作マークを押圧すると、押圧された前記操作マークを報知する点にある。
【００１５】
この請求項３に記載の発明によれば、操作者は、押圧している操作マークを認識することが可能となる。このため、意図せずに特殊操作マークを押圧してしまった場合に、反転表示によって押圧している操作マークを認識することができるので、押圧部分を表示部の画面上において移動することにより、誤って操作指示が入力されてしまうことを防止することができる。
【発明の効果】
【００１６】
以上述べたように、本発明に係るタッチパネル式入力装置によれば、復帰が困難または複雑な操作が誤って入力されることを確実に防止することができる。また、全ての操作マークについてではなく、処理を実行する前の状態に復帰するのが困難または復帰するために複雑な操作が必要である特殊操作マークについてのみ、操作者が特殊操作マークから離間したときに操作指示を入力し、一般操作マークについては、操作者が一般操作マークを押圧したときに操作指示を入力することにより、操作指示の入力が一律に遅くなるということはない。これにより、タッチパネル式入力装置の操作性を維持することが可能となる。
【００１７】
さらに、表示部において各操作マークの表示を小さくしたり各操作マークの間隙が狭く表示されることとなっても、復帰が困難または複雑な操作については誤って操作指示を入力することを防止することができる。これにより、本発明に係るタッチパネル式入力装置によれば、情報を表示する領域を確保することができるとともに、表示部の小型化、ひいてはタッチパネル式入力装置の小型化を図ることができる。
【発明を実施するための最良の形態】
【００１８】
以下、本発明に係るタッチパネル式入力装置の一実施形態を図１から図１０を参照して説明する。ここで、本実施形態においては、タッチパネル式入力装置が操作の指示を入力する電気機器として電動ミシンを用いて説明するが、本発明はこれに限定されるものではなく、種々の電気機器の入力装置として用いることが可能である。
【００１９】
図１は、本実施形態に係るタッチパネル式入力装置の構成を示すブロック図であり、図１に示すように、タッチパネル式入力装置１は、液晶表示パネル等からなる表示部２を有している。図２および図３に示すように、表示部２の画面には、複数の操作マーク５が表示されており、タッチパネル式入力装置１の操作者８は、所望の操作を示す各操作マーク５を指やスタイラスペン等によって押圧することにより、操作の指示をタッチパネル式入力装置１に入力することとなる。
【００２０】
これら各操作マーク５は、誤って押圧されてこの押圧された操作マークに対応した処理を実行してしまうと処理を実行する前の状態に復帰するのが困難または復帰するために複雑な操作が必要な特殊操作マークと、各操作マーク５のうち特殊操作マークを除く一般操作マークとからなっている。本実施形態においては、表示部２の画面には、次頁を表示するための次頁マーク５Ａ（５）が表示され、次頁マーク５Ａの隣位の位置には前頁を表示するための前頁マーク５Ｂ（５）が表示され、前頁マーク５Ｂの隣位の位置には電動ミシン１２に記憶されている所定のデータを削除するための削除マーク５Ｃ（５）が表示されている。本実施形態においては、次頁マーク５Ａおよび前頁マーク５Ｂを一般操作マーク、削除マーク５Ｃを特殊操作マークとする。
【００２１】
また、タッチパネル式入力装置１は、表示部２に積層して配置され、図示しない一対の電極基板を備えている入力部７を有している。そして、入力部７は、タッチパネル式入力装置１の操作者によって、指やスタイラスペン等が表示部２の画面における各操作マーク５を押圧すると、操作者８によって操作マーク５が押圧されている間中、押圧された部分の座標情報を検出して、入力部７および表示部２の駆動を制御する制御部１０に出力するようになっている。
【００２２】
そして、制御部１０は、入力部７が検出した座標情報に基づいて、押圧された座標に配置された操作マーク５を判別し、その押圧された操作マーク５に対応した処理を実行するようになっている。このとき、制御部１０は、次頁マーク５Ａまたは前頁マーク５Ｂについては、操作者８が一般操作マークである次頁マーク５Ａまたは前頁マーク５Ｂを押圧して入力部７から座標情報を入力したときに、操作指示の入力があったと判断するようになっている。一方、制御部１０は、削除マーク５Ｃについては、前記特殊操作マークであるとして、操作者８が削除マーク５Ｃを押圧して入力部７から座標情報を入力した後であって、操作者８が削除マーク５Ｃから離間して入力部７からの座標情報の入力が終了した時に、操作指示入力があったと判断し、操作者８が削除マーク５Ｃを押圧した後、その押圧位置が表示部２の画面の上において移動して削除マーク５Ｃから外れると、削除マーク５Ｃに関する操作指示入力の判断をキャンセルするようになっている。
【００２３】
また、制御部１０は、操作者８が各操作マーク５を押圧して入力部７が検出した座標情報を入力すると、操作者８が押圧した操作マーク５を操作者に報知するようになっている。本実施形態においては、報知する手段として、制御部１０は、入力部７から座標情報を入力すると、押圧された操作マーク５の表示を反転して表示するように、入力部７を制御するようになっている。なお、本発明において操作者８が押圧した操作マーク５を報知する手段は本実施形態の反転表示に限定されるものではなく、種々の手段によって、操作者８が押圧した操作マーク５を操作者に報知することができる。
【００２４】
続いて、本実施形態に係るタッチパネル式入力装置１の作用について説明する。
【００２５】
まず、特殊操作マークである削除マーク５Ｃが押圧された場合の制御部１０における操作指示入力の判断について説明する。
【００２６】
図３に示すように、操作者８が特殊操作マークである削除マーク５Ｃを押圧して、入力部７が削除マーク５Ｃの座標情報を検出して制御部１０に出力すると、制御部１０は、図４に示すように、入力部７から削除マーク５Ｃの座標情報を入力し（ＳＴ１）、削除マーク５Ｃの反転表示を行う（ＳＴ２）。また、図５に示すように、操作者８が前頁マーク５Ｂと削除マーク５Ｃとの間を押圧した場合であって、入力部７が削除マーク５Ｃの座標情報を制御部１０に出力した場合にも、制御部１０は、入力部７から削除マーク５Ｃの座標情報を入力し（ＳＴ１）、図６に示すように、削除マーク５Ｃの反転表示を行う（ＳＴ２）。
【００２７】
続いて、制御部１０は、削除マーク５Ｃから移動した場合として隣位する前頁マーク５Ｂの座標情報を入力部７から入力したか否かを判断する（ＳＴ３）。ここで、図７に示すように、操作者８が表示部２の画面から離間させずに接触を維持した状態で削除マーク５Ｃから前頁マーク５Ｂに指を移動すると、入力部７は、前頁マーク５Ｂの座標情報を検出して制御部１０に出力する。これにより、制御部１０は、前頁マーク５Ｂの座標情報を入力部７から入力して削除マーク５Ｃから前頁マーク５Ｂに押圧位置が移動したことを判断した場合には（ＳＴ３においてＹｅｓ）、削除マーク５Ｃに関する操作指示入力の判断をキャンセルして削除マーク５Ｃの反転表示を終了し（ＳＴ４）、一般操作マークである前頁マーク５Ｂが押圧された場合の制御に移行する。
【００２８】
一方、制御部１０は、前頁マーク５Ｂの座標情報を入力部７から入力していないと判断した場合には（ＳＴ３においてＮｏ）、操作者８が削除マーク５Ｃから離間して入力部７からの座標情報の入力が終了したか否かを判断し（ＳＴ４５、座標情報の入力が終了していないと判断した場合には（ＳＴ５においてＮｏ）、再度、前頁の座標情報を入力部７から入力したか否かを判断する（ＳＴ３）。一方、制御部１０は、座標情報の入力が終了したと判断した場合には（ＳＴ５においてＹｅｓ）、削除に関する操作指示の入力があったと判断し、電動ミシン１２の制御部１０に、削除に関する操作指示を出力するとともに（ＳＴ６）、削除マーク５Ｃの反転表示を終了する（ＳＴ７）。
【００２９】
次に、一般操作マークが押圧された場合の制御部１０における操作指示入力の判断について説明する。
【００３０】
図８に示すように、操作者８が一般操作マークである次頁マーク５Ａに接触して次頁マーク５Ａが押圧され、入力部７が次頁マーク５Ａの座標情報を制御部１０に出力した場合、または、前頁マーク５Ｂを押圧して入力部７が前頁マーク５Ｂの座標情報を制御部１０に出力した場合、制御部１０は、図９に示すように、入力部７から次頁マーク５Ａまたは前頁マーク５Ｂの座標情報を入力し（ＳＴ１１）、押圧された次頁マーク５Ａまたは前頁マーク５Ｂの反転表示を行う（ＳＴ１２）。また、図７に示すように、削除マーク５Ｃが押圧された後、操作者８が画面上において移動して前頁マーク５Ｂを押圧した場合も、制御部１０は、前頁マーク５Ｂの座標情報を入力し（ＳＴ１１）、図１０に示すように、前頁マーク５Ｂの反転表示を行う（ＳＴ１２）。
【００３１】
続いて、制御部１０は、次頁マーク５Ａまたは前頁マーク５Ｂの座標情報を入力することにより、次頁または前頁を表示する操作指示の入力があったと判断し、表示部２において次頁または前頁を表示する制御を行う（ＳＴ１３）。
【００３２】
さらに、制御部１０は、操作者８が次頁マーク５Ａまたは前頁マーク５Ｂから離間して入力部７からの座標情報の入力が終了したか否かを判断し（ＳＴ１４）、終了したと判断した場合には（ＳＴ１４においてＹｅｓ）、次頁マーク５Ａまたは前頁マーク５Ｂの反転表示を終了する（ＳＴ１５）。一方、制御部１０は、入力部７からの次頁マーク５Ａまたは前頁マーク５Ｂの座標情報の入力が終了していないと判断した場合には（ＳＴ１４においてＮｏ）、入力部７からの次頁マーク５Ａまたは前頁マーク５Ｂの座標情報の入力が終了したか否かの判断を繰り返す（ＳＴ１４）。
【００３３】
このように、本実施形態によれば、操作者８により削除マーク５Ｃを押圧した場合、操作者８が削除マーク５Ｃを押圧したとき、即時に操作指示が入力されることはなく、操作者８が削除マーク５Ｃから離間したときに操作指示が入力される。また、操作者８が削除マーク５Ｃを押圧後、操作者８が表示部２の画面に接触した状態のまま前頁マーク５Ｂの位置に移動して前頁マーク５Ｂを押圧した場合には、削除のための操作指示の入力の判断がキャンセルされる。このため、操作者８が前頁マーク５Ｂを押圧するつもりで意図せずに削除マーク５Ｃを押圧してしまった場合には、押圧位置を移動することにより削除の操作指示を入力することなく前頁を表示する操作指示を入力することができる。
【００３４】
したがって、削除の操作等の特殊マークを誤って押圧した場合でも、復帰が困難または複雑な操作が誤って入力されることを確実に防止することができる。また、全ての操作マーク５についてではなく、復帰が困難または複雑な操作の特殊操作マークである削除マーク５Ｃについてのみ、操作者８が削除マーク５Ｃから離間したときに操作指示を入力し、次頁マーク５Ａまたは前頁マーク５Ｂについては、操作者８が次頁マーク５Ａまたは前頁マーク５Ｂを押圧したときに操作指示を入力することにより、操作指示の入力が一律に遅くなるということはない。これにより、タッチパネル式入力装置１の操作性を維持することが可能となる。
【００３５】
さらに、表示部２において各操作マーク５の表示を小さくしたり各操作マーク５の間隙が狭く表示されることとなっても、復帰が困難または複雑な操作については誤って操作指示を入力することを防止することができる。これにより、本実施形態に係るタッチパネル式入力装置１によれば、情報を表示する領域を確保することができるとともに、表示部２の小型化、ひいてはタッチパネル式入力装置１の小型化を図ることができる。
【００３６】
また、所定のデータを削除する際に押圧操作される削除マーク５Ｃを、削除マーク５Ｃとすることにより、タッチパネル式入力装置１は、復帰が困難な削除の操作について、操作者８が削除マーク５Ｃから離間したときに操作指示を入力するので、意図せずに削除マーク５Ｃを押圧してしまった場合でも、押圧位置を表示部２の画面上において移動することにより、誤って操作指示が入力されてしまうことを防止することができる。
【００３７】
さらに、制御部１０は、操作者８が各操作マーク５を押圧すると、押圧された操作マーク５を反転表示することにより操作者に報知するので、これにより、操作者は、押圧している操作マーク５を認識することが可能となる。このため、意図せず削除マーク５Ｃを押圧してしまった場合に、反転表示によって押圧している操作マーク５を認識することができるので、押圧位置を表示部２の画面上において移動することにより、誤って操作指示が入力されてしまうことを防止することができる。
【００３８】
なお、本発明は前記実施形態に限定されるものではなく、必要に応じて種々変更することが可能である。
【００３９】
例えば、本実施形態においては、操作者８が削除マーク５Ｃを押圧した後、その押圧位置が表示部２の画面上を移動して削除マーク５Ｃから外れ、前頁マーク５Ｂを押圧すると、削除マーク５Ｃに関する操作指示入力の判断がキャンセルされる場合を用いて説明したが、これに限定されるものではなく、一般操作マークを押圧しなくても、操作者８が画面上を移動して特殊操作マークから外れればよい。
【図面の簡単な説明】
【００４０】
【図１】本発明に係るタッチパネル式入力装置の一実施形態の構成を示すブロック図
【図２】図１のタッチパネル式入力装置における表示部の画面を示す概略平面図
【図３】図２の表示部において操作者により一般操作マークを押圧した場合を示す概略平面図
【図４】図１のタッチパネル式入力装置における特殊操作マークが押圧された場合の操作指示入力の判断示すフローチャート
【図５】図２の表示部において操作者により一般操作マークと特殊操作マークとの間を押圧された場合を示す概略平面図
【図６】図２の表示部において特殊操作マークの反転表示を示す概略平面図
【図７】図２の表示部において操作者を特殊操作マークから一般操作マークに移動した場合を示す概略平面図
【図８】図２の表示部において一般操作マークを押圧した場合を示す概略平面図
【図９】図１のタッチパネル式入力装置における一般操作マークが押圧された場合の操作指示入浴の判断をメスフローチャート
【図１０】図２の表示部において特殊操作マークの反転表示を示す概略平面図
【符号の説明】
【００４１】
１  タッチパネル式入力装置
２  表示部
３  画面
５  操作マーク
５Ａ  次頁マーク
５Ｂ  前頁マーク
５Ｃ  削除マーク
７  入力部
８  操作者
１０  制御部
１２  電動ミシン
１３  制御部
【図１】
2010079615.tif 000003
【図２】
2010079615.tif 000004
【図３】
2010079615.tif 000005
【図４】
2010079615.tif 000006
【図５】
2010079615.tif 000007
【図６】
2010079615.tif 000008
【図７】
2010079615.tif 000009
【図８】
2010079615.tif 000010
【図９】
2010079615.tif 000011
【図１０】
2010079615.tif 000012